(57)【要約】【課題】セードの落下を抑制することができる照明器具を提供する。【解決手段】照明器具１は、器具本体２、セード１３、セード着脱機構１４、及び蓋体２０等から構成されている。セード着脱機構１４は、係合部材１５と、係合部材１５に係合させるための被係合部材１６とから構成されている。係合部材１５は器具本体２に設けられており、被係合部材１６はセード１３に設けられている。係合部材１５は、ケース１５ａ、ケース１５ａの下面から突出したリリースボタン１５ｂ、及びケース１５の対向する側面２箇所から出没可能に設けられた係合爪１５ｃ等から構成されている。被係合部材１６は、係合爪１５ｃと係合する係合溝１６ｄを備えている。係合部材１５の係合爪１５ｃを被係合部材１６の係合溝１６ｄに係合させることにより、器具本体２にセード１３を取付けることができる。【選択図】図１
2005332683.tif 000002
【特許請求の範囲】
【請求項１】
ランプを備えた器具本体と；
器具本体の少なくとも一部を覆うセードと；
器具本体の中央部に設けられた係合部と；
係合部と係合するようにセードの中央部に設けられた被係合部と；
外部から操作可能なように器具本体またはセードの中央部に設けられ、係合部と被係合部との係合を解除する解除手段と；
セードの器具本体側の反対側に可動自在に設けられ、解除手段を被覆及び露出自在な安全機構と；
を具備していることを特徴とする照明器具。
【請求項２】
ランプを備えた器具本体と；
器具本体の少なくとも一部を覆うセードと；
器具本体の中央部に設けられた係合部と；
係合部と係合するようにセードの中央部に設けられた被係合部と；
外部から操作可能なように器具本体またはセードの中央部に設けられ、係合部と被係合部との係合を解除する解除手段と；
セードの器具本体側の反対側に着脱自在に設けられ、解除手段を被覆及び露出自在な安全機構と；
を具備していることを特徴とする照明器具。
【請求項３】
係合部と被係合部とが係合した状態でセードが傾くことを防止する傾き防止機構を器具本体に設けたことを特徴とする請求項１または２記載の照明器具。
【請求項４】
係合部と被係合部とが係合した状態で、セードを器具本体側とは反対側へ押圧する押圧機構を器具本体に設けたことを特徴とする請求項１ないし３のいずれか１項に記載の照明器具。
【請求項５】
セードはセードの裏面側に盛上り部を備えており、被係合部は盛上り部に設けられていることを特徴とする請求項１ないし４のいずれか１項に記載の照明器具。
【発明の詳細な説明】
【技術分野】
【０００１】
本発明は、セードを備えた照明器具に関する。
【背景技術】
【０００２】
従来から、照明器具には、蛍光ランプを備えた器具本体の他、配光或いは光色を変えるためのセードが備えられている場合がある。このようなセードを備えた照明器具の場合、蛍光ランプの交換の際には、セードを器具本体から取り外す作業、及び蛍光ランプを交換した後、再びセードを器具本体に取り付ける作業が必要となる。
【０００３】
このような器具本体へのセードの着脱を容易に行うために、器具本体側に取付けられた取付部、取付部に取付けるキャップ等を使用した着脱機構が提案されている（特許文献１参照）。具体的には、セードの孔に取付部を挿入した状態で、キャップの内側に設けられた縦溝に取付部の支持突起とピンを挿入し、キャップを回転させる。これにより、縦溝に連通した支持溝及び係止溝に支持突起及びピンがそれぞれ嵌め込まれ、セードが器具本体に取付けられる。また、セードを取り外す際には、キャップを取付方向とは逆方向に回転させ、支持突起及びピンを縦溝に位置させて、キャップを取付部から引き抜く。
【特許文献１】実開平５−１１２１３号公報
【発明の開示】
【発明が解決しようとする課題】
【０００４】
しかしながら、キャップがセードの表面に露出しているため、何等かの原因によりキャップが取付方向の逆方向に回転してしまい、器具本体からセードが外れ、セードが落下するおそれがある。また、セードから器具本体を取り外す際にはキャップを取付方向とは逆方向に回転させて支持突起及びピンをそれぞれ縦溝の位置に合わせる必要があるが、この位置合わせを行うことが困難であり、容易にセードを器具本体から取り外すことができない。本発明は上記従来の問題を解決するためになされたものであり、セードの不意な落下を防止することができるとともにセードを容易に取り外すことができる照明器具を提供することを目的とする。
【課題を解決するための手段】
【０００５】
請求項１記載の発明は、ランプを備えた器具本体と；器具本体の少なくとも一部を覆うセードと；器具本体の中央部に設けられた係合部と；係合部と係合するようにセードの中央部に設けられた被係合部と；外部から操作可能なように器具本体またはセードの中央部に設けられ、係合部と被係合部との係合を解除する解除手段と；セードの器具本体側の反対側に可動自在に設けられ、解除手段を被覆及び露出自在な安全機構と；を具備していることを特徴とする照明器具である。
【０００６】
本発明において、セードは、器具本体とセードとで密閉空間を形成するいわゆる密閉形や器具本体とセードとの空間と外部とが連通している開放形であってもよい。またセード、器具本体の形状は円形、多角形状であってもよい。また安全機構の「可動」とは回動、摺動および揺動等のいずれの形態であってもよく、要するに安全機構がセードの器具本体側の反対側（すなわち表面側）から操作可能なように設けられていればよいものである。
【０００７】
ランプとしては、例えば、四角形形状、円環状、三角形状または多角形形状であってもよい。また、ランプの発光管は２重管形や複数管形であってもよい。さらにまた、ランプは環状以外に直管状のものであってもよい。
【０００８】
請求項１記載の発明によれば、安全機構と解除手段とを別部材とし、さらに安全機構によって解除手段を覆うことができることにより、不用意に照明器具の使用者が解除手段に触れることがないので、不意のセード落下を防止することができる。また、安全機構の可動後に解除手段を操作するので、セードの着脱作業が容易にできる。
【０００９】
請求項２記載の発明は、ランプを備えた器具本体と；器具本体の少なくとも一部を覆うセードと；器具本体の中央部に設けられた係合部と；係合部と係合するようにセードの中央部に設けられた被係合部と；外部から操作可能なように器具本体またはセードの中央部に設けられ、係合部と被係合部との係合を解除する解除手段と；セードの器具本体側の反対側に着脱自在に設けられ、解除手段を被覆及び露出自在な安全機構と；を具備していることを特徴とする照明器具である。請求項２記載の発明によれば、安全機構と解除手段とを別部材とし、さらに安全機構によって解除手段を覆うことができることにより、不用意に照明器具の使用者が解除手段に触れることがないので、不意のセード落下を防止することができる。また、安全機構の可動後に解除手段を操作するので、セードの着脱作業が容易にできる。
【００１０】
請求項３記載の発明は、係合部と被係合部とが係合した状態でセードが傾くことを防止する傾き防止機構を器具本体に設けたことを特徴とする請求項１または２記載の照明器具である。請求項３記載の発明によれば、傾き抑制機構により、セードが傾くことを防止することができる。
【００１１】
請求項４記載の発明は、係合部と被係合部とが係合した状態で、セードを器具本体側とは反対側へ押圧する押圧機構を器具本体に設けたことを特徴とする請求項１ないし３のいずれか１項に記載の照明器具である。請求項４記載の発明によれば、押圧機構によりセードが器具本体側とは反対側に押圧されていることにより、作業者が係合部と被係合部との係合を解除するだけで、容易にセードを器具本体から外すことができる。
【００１２】
請求項５記載の発明は、セードはセードの裏面側に盛上り部を備えており、被係合部は盛上り部に設けられていることを特徴とする請求項１ないし４のいずれか１項に記載の照明器具である。請求項５記載の発明によれば、盛上り部に被係合部を設けているので、被係合部付近のセードの強度が増し、セードのひび割れを抑制することができる。
【発明の効果】
【００１３】
請求項１および請求項２記載の発明によれば、不用意に解除手段に触れることがなく、不意のセード落下を防止することができる。また、セードの着脱作業が容易にできる。請求項３記載の発明によれば、セードが傾くことを防止することができる。請求項４記載の発明によれば、容易にセードを器具本体から外すことができる。請求項５記載の発明によれば、セードのひび割れを抑制することができる。
【発明を実施するための最良の形態】
【００１４】
以下、実施の形態について説明する。図１及び図２は本実施の形態に係る照明器具の模式的な斜視図であり、図３は本実施の形態に係る照明器具の模式的な垂直断面図であり、図４は本実施の形態に係る器具本体の平面図であり、図５は本実施の形態に係る係合部材及びその周辺の模式的な斜視図であり、図６は本実施の形態に係るセード及びその周辺の模式的な斜視図であり、図７は本実施の形態に係る係合部材及びその周辺の模式的な斜視図であり、図８は本実施の形態に係るセード及びその周辺の模式的な斜視図である。
【００１５】
図１〜図６に示されるように、照明器具１は、器具本体２を備えている。器具本体２は、内部空間を有する箱状のシャーシ３等から構成されている。シャーシ３の上面には開口部３ａが形成されており、シャーシ３の下面には開口部３ｂ等が形成されている。具体的には、開口部３ａ，３ｂは略円状に形成されており、互いに対向するようにシャーシ３の中央部に形成されている。
【００１６】
シャーシ３は、引掛シーリング４に取り付けられたアダプタ５に係止されている。引掛シーリング４は天井面に取り付けられている。アダプタ５は、器具本体２に電力を供給するとともに器具本体２を支持するためのものである。アダプタ５は、ケース５ａ、ケース５ａの下面から突設されたリリースボタン５ｂ、及びケース５ａの側面から出没可能に突設された係止爪５ｃ等から構成されている。
【００１７】
アダプタ５は、リリースボタン５ｂが押されることにより係止爪５ｃがケース５ａ内に収容され、かつリリースボタン５ｂが離されることにより係止爪５ｃがケース５ａ内から突出するように構成されている。
【００１８】
シャーシ３をアダプタ５に係止させるには、リリースボタン５ｂを押した状態で、アダプタ５をシャーシ３の開口部３ａ，３ｂに挿入し、リリースボタン５ｂを離す。これにより、係止爪５ｃがシャーシ３の下面に引掛かり、シャーシ３がアダプタ５に係止される。
【００１９】
シャーシ３の内部には、次に説明する蛍光ランプ７を点灯させる点灯回路６が配置されている。アダプタ５と点灯回路６とは電気的に接続されている。アダプタ５と点灯回路６とを電気的に接続することにより、点灯回路６に電力が供給される。
【００２０】
シャーシ３の下方には、四角形状に形成された大小２本の蛍光ランプ７が配置されている。蛍光ランプ７の辺部７ａの中央部には、口金８が取付けられている。蛍光ランプ７は、コネクタ９及びランプホルダ１０により保持されている。
【００２１】
コネクタ９は、先端部がシャーシ３の下面に形成された開口部から突出するように設けられており、コネクタ９には蛍光ランプ７の口金８が装着されている。蛍光ランプ７と点灯回路６とはコネクタ９を介して電気的に接続されている。蛍光ランプ７と点灯回路６を電気的に接続することにより、蛍光ランプ７に所定の電力を供給することができ、蛍光ランプ７を点灯させることができる。
【００２２】
ランプホルダ１０は、シャーシ３の下面に取付けられている。ランプホルダ１０は、辺部７ａと対向する辺部７ｂを保持しているが、辺部７ｂの中央部を保持していない。具体的には、ランプホルダ１０は、辺部７ｂの屈曲箇所近傍を保持している。なお、ランプホルダ１０は、辺部７ａから辺部７ｂまでの長さを直径とした円環状の蛍光ランプを蛍光ランプ１０に重ねた場合に、重なり合う部分以外の蛍光ランプ７の部分を保持できるように配置されていればよく、辺部７ｂの屈曲箇所近傍でなくともよい。
【００２３】
シャーシ３の下面には、常夜灯としてのベビー球１１及び他の蛍光ランプ（図示せず）を接続するためのコネクタ１２が配置されている。
【００２４】
シャーシ３の下方には、矩形のセード１３が配置されている。セード１３の裏面側中央部にはその周囲の部分から盛上がった盛上り部１３ａが形成されている。盛上り部１３ａには、矩形状の窓部１３ｂが形成されている。
【００２５】
セード１３は、セード着脱機構１４により着脱可能にセード１３に取付けられている。セード着脱機構１４は、係合部が設けられる係合部材１５と、被係合部が設けられる係合部材１５に係合させるための被係合部材１６とから構成されている。
【００２６】
係合部材１５は、ねじ１７によりシャーシ３の中央部に取付けられた取付板１８に取付けられている。係合部材１５は、ケース１５ａ、ケース１５ａの下面から突出したリリースボタン１５ｂ、及びケース１５ｂの対向する側面２箇所から出没可能に突設された係合部である係合爪１５ｃ等から構成されている。
【００２７】
係合部材１５は、リリースボタン１５ｂが押されることにより係合爪１５ｃがケース１５ａ内に収容され、かつリリースボタン１５ｂが離されることにより係合爪１５ｃがケース１５ａ内から突出するように構成されている。ケース１５ａは、略四角柱状に形成されているが、被係合部材１６との位置合わせのために角部が面取りされている。係合爪１５ｃの上面は略水平面状となっており、係合爪１５ｃの下面は上方に向けて傾斜している。
【００２８】
被係合部材１６は、窓部１３ｂの縁部に取付けられている。即ち、被係合部材１６は、盛上り部１３ａに取付けられている。被係合部材１６は、部材１６ａおよび部材１６ｂ等から構成されている。被係合部材１６には、内側に係合部材１５を挿入することができるようケース１５ａの形状に対応した孔１６ｃが形成されている。また、被係合部材１６の内面４箇所には係合爪１５ｃを係合させるための係合溝１６ｄが形成されている。
【００２９】
取付板１８は、取付板１８の一部を係合部材１５側に折り曲げることにより形成された複数の突片１８ａ（傾き防止機構）を備えている。突片１８ａは、セード１３の傾きを防止するものであり、係合部材１５の外側に、かつ係合部材１５と被係合部材１６とが係合した状態において被係合部材１６の角部の外周面に当接するような位置に形成されている。なお、被係合部材１６の外周面に部分的に突片１８ａが当接するように突片１８ａを形成しているが、被係合部材１６の外周面全てに突片１８ａが当接するように突片１８ａを形成してもよい。また、突片１８ａの他、例えば、図７及び図８に示されるように係合部材１５の角部にセード１３側に突出したボス１５ｄを形成するとともに被係合部材１６の角部にボス１５ｄと嵌合する孔１６ｅを形成し、ボス１５ｄと孔１６ｅとを嵌合させることによりセード１３の傾きを防止してもよい。ここで、ボス１５ｄと孔１６ｅとには正確に嵌合させるためにテーパが形成されていることが好ましい。
【００３０】
取付板１８には、係合爪１５ｃと係合溝１６ｄとが係合している状態でセード１３を器具本体２側とは反対側へ押圧する板バネ１９（押圧機構）が取付けられている。セード１３を器具本体２に取付ける際に被係合部材１６で板バネ１９を撓ませることにより、板バネ１９の弾性力によりセード１３及び被係合部材１６が器具本体２側とは反対側へ押される。なお、板バネ１９の他、例えばスポンジ等でセード１３を押圧することも可能である。
【００３１】
セード１３の器具本体２側の反対側には、リリースボタン１５ｂを被覆及び露出自在な矩形の蓋体２０（安全機構）が配置されている。本実施の形態では、蓋体２０は、被係合部材１６の下面を覆うように被係合部材１６の下面に取付けられている。蓋体２０は、スライドすることにより開閉するように構成されている。蓋体２０を開けることにより、リリースボタン１５ｂが露出し、蓋体２０を閉めることによりリリースボタン１５ｂが隠れるようになっている。なお、リリースボタン１５ｂを覆うことができれば、蓋体２０はねじ込み式であってもよく、また円形状であってもよい。
【００３２】
以下、セード１３の着脱について説明する。図９は本実施の形態に係るセード１３を取り付ける際のセード着脱機構１４の動作状態を模式的に示した図であり、図１０は本実施の形態に係るセード１３を取り外す際のセード着脱機構１４の動作状態を模式的に示した図である。
【００３３】
セード１３を器具本体２に取り付ける場合には、蓋体２０を開け、被係合部材１６の内側に係合部材１５が挿入されるように被係合部材１６と係合部材１５との位置合わせをし、図９に示されるようにセード１３を押し上げる。すると、係合爪１５ｃが係合溝１６ｄに入り込み、係合爪１５ｃと係合溝１６ｄとが係合される。これにより、セード１３が器具本体２に取り付けられる。そして最後に、蓋体２０を閉める。
【００３４】
セード１３を器具本体２から取り外す場合には、蓋体２０を開け、被係合部材１６の内側に位置した係合部材１５のリリースボタン１５ｂを押す。すると、図１０に示されるように、係合爪１５ｃがケース１５ａ内に収容され、係合爪１５ｃと係合溝１６ｄとの係合が解除される。これにより、セード１３が器具本体２から取り外される。
【００３５】
本実施の形態によれば、蓋体２０とリリースボタン１５ｂとを別部材とし、さらに蓋体２０によってリリースボタン１５ｂを覆うことができることにより、不用意にリリースボタン１５ｂに触れることがなく、かつ不意のセード１３落下を防止することができる。
【００３６】
本実施の形態によれば、蓋体２０をスライドさせた後、リリースボタン１５ｂを押し、セード１３を器具本体２から取り外すという一連の作業をいずれも作業者が片手ないし両手で容易に行うことができるので、セード１３を取り外す作業者の作業負担を軽減することができる。これは、照明器具１が比較的高所である天井に取り付いていることが多いので、セード１３の着脱作業を容易とすることは大変有効となる。さらにまた、器具本体２およびセード１３の中心部に本実施の形態のセード着脱機構１４を設けることで着脱機構部周辺を作業者が支持すればセード１３の着脱が行えるので、セード１３が比較的大形なものとなってもセード１３の着脱作業を容易に行うことができる。
【００３７】
本実施の形態では、蓋体２０を開けると、リリースボタン１５ｂが露出するように構成されているので、リリースボタン１５ｂを容易に発見することができる。また、リリースボタン１５ｂを押すことのみで、セード１３を器具本体２から取り外すことができる。これにより、セード１３を器具本体１０から容易に取り外すことができる。
【００３８】
本実施の形態では、突片１８ａを被係合部材１６の外周面に当接させるので、被係合部材１６が係合部材１５に対して動き難くなり、係合部材１６に対する被係合部材１５のガタつきを抑制することができる。これにより、セード１３が傾くことを防止することができる。
【００３９】
本実施の形態では、板バネ１９でセード１３を器具本体２側とは反対側へ押圧するので、セード１３を器具本体２から取り外す際に補助力が与えられ、作業者が係合爪１５ｃと係合溝１６ｄとの係合を解除するだけで、容易にセードを器具本体から外すことができる。また、器具本体２を地面に置いた状態でセード１３を取り外す場合にはセード１３が上方になるように配置されることが多いが、その場合であっても板バネ１９でセード１３を器具本体２側とは反対側へ押圧するので、器具本体２からセード１３を容易に取り外すことができる。
【００４０】
本実施の形態では、セード１３に盛上り部１３ａが形成されているので、セード１３のひび割れを防止することができる。即ち、セード１３の窓部１３ｂに被係合部材１６を取付けた場合には、窓部１３ｂの縁部から亀裂が入り易いが、盛上り部１３ａを形成することにより窓部１３ｂ周辺の強度が増すので、窓部１３ｂに被係合部材１６を取付けた場合であっても、窓部１３ｂの縁部から亀裂が入り難くなる。これにより、セード１３のひび割れを防止することができる。また、盛上り部１３ａは、部材１６ａ，１６ｂの取付け位置のガイドとしても機能するので、容易に部材１６ａ，１６ｂの位置合わせを行うことができる。
【００４１】
本実施の形態では、ランプホルダ１０が辺部１０ｂの屈曲箇所近傍を保持するような位置に配置されているので、円環状の蛍光ランプが器具本体２に取付けられるのを防止することができる。即ち、ランプホルダ１０が辺部１０ｂの中央部を保持する位置に配置されている場合には、辺部１０ａから辺部１０ｂまでの長さを直径とした円環状の蛍光ランプが器具本体２に取付けることが可能である。しかしながら、円環状の蛍光ランプを取付けた場合には、円環状の蛍光ランプは点灯するが特性が低下してしまうので、このような円環状の蛍光ランプが取付けられないようにすることが好ましい。本実施の形態では、ランプホルダ１０が辺部１０ｂの屈曲箇所近傍を保持するように配置されているので、このようなことを防止することができる。
【００４２】
なお、本発明は上記実施の形態の記載内容に限定されるものではなく、構造や材質、各部材の配置等は、本発明の要旨を逸脱しない範囲で適宜変更可能である。本実施の形態では、安全機構としてスライド式の蓋体２０を用いたが、セード１３の窓部１３ａに着脱自在である蓋体等のような構成を用いてもよく、このような形態であっても上記実施の形態と略同様の作用効果を奏する。また、上記実施の形態では係合爪１５ｃと係合溝１６ｄとを係合させることによりセード１３を器具本体１６に取付けているが、係合させることによりセード１３を器具本体１６に取付けることができる機構であれば、特に限定されない。上記実施の形態では、蛍光ランプ７を使用しているが、蛍光ランプでなくてもよい。なお、上記実施の形態では、板バネ１９を設けているが、このような機構が不要である場合には設けなくともよいものである。
【図面の簡単な説明】
【００４３】
【図１】実施の形態に係る照明器具の模式的な斜視図である。
【図２】実施の形態に係る照明器具の模式的な斜視図である。
【図３】実施の形態に係る照明器具の模式的な垂直断面図である。
【図４】実施の形態に係る器具本体の平面図である。
【図５】実施の形態に係る係合部材及びその周辺の模式的な斜視図である。
【図６】実施の形態に係るセード及びその周辺の模式的な斜視図である。
【図７】実施の形態に係る係合部材及びその周辺の模式的な斜視図である。
【図８】実施の形態に係るセード及びその周辺の模式的な斜視図である。
【図９】実施の形態に係るセードを取り付ける際のセード着脱機構の動作状態を模式的に示した図である。
【図１０】実施の形態に係るセードを取り外す際のセード着脱機構の動作状態を模式的に示した図である。
【符号の説明】
【００４４】
１…照明器具、２…器具本体、７…蛍光ランプ、１３…セード、１３ａ…盛上り部、１４…セード着脱機構、１５…係合部材、１５ｂ…リリースボタン、１５ｃ…係合爪、１６…被係合部材、１６ｄ…係合溝、１８ａ…突片、１９…板バネ、２０…蓋体。
【図１】
2005332683.tif 000003
【図２】
2005332683.tif 000004
【図３】
2005332683.tif 000005
【図４】
2005332683.tif 000006
【図５】
2005332683.tif 000007
【図６】
2005332683.tif 000008
【図７】
2005332683.tif 000009
【図８】
2005332683.tif 000010
【図９】
2005332683.tif 000011
【図１０】
2005332683.tif 000012